(57)【要約】【課題】  腰部股関節膝靭帯等下肢疾患者の体重を、下肢本来の人体姿勢制御機能を疎外しない方法で疾患者の体重支持の補助をし、健常者並みの直立と歩行が可能な快適な自立行動を得る。【解決手段】  立ち姿で直立用サドル３が体重を支持してステッキ５、９に伝達しステッキ５、９の中間には膝屈折用スプリングコイル７があり、膝の多機能で微妙な動きへの追従と、疾患者の体長に適合する調整をステッキ長さ調整部６が付帯し、また人体姿勢制御機能に欠かせない踵と足先の機能を疎外しないようにステッキ底板１０は図−１０のように薄板材料を足の土踏まず部分で支持をする。【選択図】  図２
2005169052.tif 000002
【特許請求の範囲】
【請求項１】
腰部股関節膝靭帯等下肢の疾患者が直立や歩行時に股関節下肢にかかる体重を、直立姿勢で坐骨と靭帯大臀部等を直立用サドル（３）を介して上部ステッキ（５）膝屈折スプリングコイル（７）下部ステッキ（９）等が体重支持を補助する腰部股関節膝靭帯等下肢疾患者用体重支持補助具。
【請求項２】
膝の多機能を疎外しないように、補助具の膝部分に人体の膝本来の機能に追従可能な現状記憶合金の膝屈折スプリングコイル（７）を備えた腰部股関節膝靭帯等下肢疾患者用体重支持補助具。
【請求項３】
補助具の長さが下肢に適合する調節を、ステッキ調整部（６）で膝屈折用スプリングコイル（７）の回転で伸縮を調節する腰部股関節膝靭帯等下肢疾患者用体重支持補助具。
【請求項４】
人体の姿勢保持機能に不可欠の踝や踵と指先が正常に機能し易いように補助具の体重支持のステッキ底板（１０）は薄板材料として足の裏の土踏まず部分で支持するようにした腰部股関節膝靭帯等下肢疾患者用体重支持補助具。
【発明の詳細な説明】
【発明の詳細な説明】
【技術分野】
【０００１】  本発明は下肢喪失者の義足と異なり腰部股関節の疾患や、下肢はあるが疾患のために体重を支持出来ない腰部股関節や下肢膝靭帯等疾患者の体重の支持を補助し、人体本来の姿勢バランス保持機能を利用して体重支持補助具を機能させ、疾患者の体重支持を補助して疼痛を緩和し、健常者並みに直立し歩行を可能にする腰部股関節膝靭帯等下肢疾患者用体重支持の補助に関するものである。
【背景技術】
【０００２】  従来は、下肢の喪失神経麻痺等の傷害者に対応する義肢装具は各種あるが、腰部股関節下肢疾患者対応の、姿勢バランス保持機能を疎外しないで、疾患者の体重支持を補助し疼痛を緩和して直立し歩行出来る補助具はなかった。【０００３】  股関節下肢の機能を疎外しないで体重を免荷するという効能の装具もあるが、疼痛を緩和出来ず人体は体重保持機能を損ない、使用されていない実情である。【０００４】  大腿筋と下腿筋を空気で緊迫固定し、膝の負荷を免荷する装具もあるが、血液循環を疎外する恐れがあり実用されていない。【０００５】  膝の上下をサポートやテープで固定した各種の装具もあるが、体重支持の免荷が出来ず疼痛を改善出来るものはない。
【発明が解決しようとする課題】
【０００６】  腰部の疾患股関節脱臼等の疾患者は体重の負荷をかけて継続的な直立や長時間の歩行等に苦痛があり、健常者並みの活動は不可能であった。
【０００７】  下肢の膝靭帯等の疾患者は体重負荷の疼痛で直立や歩行が困難であり、外出は杖や車椅子を使用し、家庭にこもることが多かった。
【課題を解決するための手段】
【０００８】  上記目標を達成するために直立用サドルが直立姿勢で体重を受けて上部ステッキに伝達し、膝屈折スプリングコイルを経て下部ステッキからステッキ底板に体重が伝達されて体重を支持するものである。
【０００９】  直立用サドルと上部ステツキは一体化しており、柔軟な直立用サドルから上部ステッキに伝達し、膝屈折用プリングコイルに伝達する。
【００１０】  膝屈折用プリングコイルは、疾患者の体長に合わせてスプリングを回転してステッキの長さを調節部で調整し、膝屈折スプリングが歩行中に回転しない様にスライド部分が自然に回転しない堅さにした。
【００１１】  膝屈折スプリングコイルは、体重の個人差に応じ膝本来の多様な機能に追従出来るように数種類の長さや強度を選択出来るようにした。
【００１２】  膝屈折スプリングコイルから下部ステッキに伝達し、接続部分は自由に回転するが座屈しないようにスプリングコイル揺れ止め部分を設けた。
【００１３】  ステッキ底板は下部ステッキと一体化し、踵と足先の姿勢制御機能を疎外しないように、薄板材料を使い土踏まず部分に配置した。
【発明を実施するための最良の形態】
【００１４】  発明の実施形態を実施例にもとずき図面を参照の上説明する。  図１において、体重を直立姿勢で柔軟に受けて支持する直立用サドル３から、自然に体重を支持出来る強度の上部ステッキ５に集中支持させる構造にした。【００１５】  支持形態は図５の部分断面図のように、坐骨と靭帯大臀部筋を直立用サドル３を介して支持した体重を上部ステッキ５に伝達し、上部ステッキ５は歩行の邪魔にならないように両足の内側に配置した。【００１６】  また直立用サドル３と上部ステッキ５は下肢同様に動き下肢と同機能をさせるために、接続部を作らないで一体化し、柔軟な直立サドル３から体重支持が出来る強度の上部ステッキ５に徐々に変化する構造とした。【００１７】  また、上部ステッキ５と下部ステッキ９の間に膝屈折用スプリングコイル７を取り付けて膝の機能に自由に対応し、疾患者の足の長さに適合する調節を膝屈折用スプリング７の回転により、ステッキ長さ調整部６で調節するようにした。【００１８】  この膝屈折用スプリングコイル７は膝を曲げた時は図８のようにもなり、膝の微妙な動きに追従できるようにした。【００１９】  また下部ステッキ９の下端は、図１０のステッキ底板１０のような形状である。【００２０】  更に、下肢の姿勢制御に不可欠の踵と足先の多種で微妙な機能を疎外しないように下部ステッキ底板１０は、薄板の材料で図９のように土踏まずの位置に当たるようにした。【００２１】  また、腰部股関節膝靭帯下肢等疾患者用体重支持補助具が全体重を支持すると、踵と足先の姿勢制御が機能しなくなるので疾患者の個人差により、ステッキ長さ調整部６で膝屈折用スプリング７の回転により適正な体重の支持率を選定するようにした。【００２２】  また、図２のように直立用サドル３は、サドル固定ベルト２で人体に固定し上部ステッキ５は上部ステッキ固定ベルト４で大腿部に固定し下部ステッキは８−ａと８−ｂのように２カ所で固定する。
【発明の効果】
【００２３】  本発明は上記説明のように構成されており、次のような効果を有する。
【００２４】  腰部股関節膝靭帯等下肢の疾患者が自力で体重を支えることが出来ず直立や歩行が困難であったが、体重支持の補助により健常者同様の自立した行動が出来るようになった。
【００２５】  車椅子と異なり、補助具を装着しても健常者と同一占有面積であり、起伏のある場所も自力で健常者と同様の快適な行動が出来出来る。
【００２６】  家庭の引きこもりが無くなり直立や歩行が健常者並となり、健康の初歩であるエクササイズワーキングが可能となり、就業の拡大や介護費の節減が期待出来る。
【図面の簡単な説明】
【図１】腰部股関節膝靭帯等下肢疾患者用歩行補助具正面図である。
【図２】装着状態正面図である。
【図３】左側面図である。
【図４】右側面図である。
【図５】図２のＩＩ−ＩＩ部分断面図である。
【図６】膝屈折自在スプリングコイル部断面図である。
【図７】図１のＩ−Ｉ断面図である。
【図８】膝の屈折状態図である。
【図９】ステッキ底板の土踏まずに接する状態図である。
【図１０】下部ステッキと底板が一体の状態図である。
【符号の説明】
１  人体２  サドル固定ベルト３  直立用サドル４  上部ステッキ固定ベルト５  上部ステッキ６  ステッキ長さ調整部７  膝屈折用スプリングコイル８−ａ  下部ステッキ上方固定ベルト８−ｂ  下部ステッキ下方固定ベルト９  下部ステッキ１０  ステッキ底板１１  ステッキ長さ調整溝１２  コイル空滑り溝１３  スプリングコイル揺れ止め部分１４  足の裏部分
【図１】
2005169052.tif 000003
【図２】
2005169052.tif 000004
【図３】
2005169052.tif 000005
【図４】
2005169052.tif 000006
【図５】
2005169052.tif 000007
【図６】
2005169052.tif 000008
【図７】
2005169052.tif 000009
【図８】
2005169052.tif 000010
【図９】
2005169052.tif 000011
【図１０】
2005169052.tif 000012